(57)【特許請求の範囲】
【請求項１】
リミッター（８）によりワイヤー（４）の引き出し量が調整された状態で移動滑車（７）をレールに沿ってエンドレスウインチ（１）より離反する方向に移動しながら基台（２）に設けられたエンドレスウインチ（１）を作動して基台（２）に設けられたワイヤー端末巻取機（５）よりワイヤー（４）を引出して先端に設けられた連結具（９）をネット（１０）に連結し、エンドレスウインチ（１）を作動してワイヤー端末巻取機（５）に一定量ワイヤー（４）を巻取ることでネット（１０）を緊張した後、再度エンドレスウインチ（１）を作動してワイヤー端末巻取機（５）よりワイヤー（４）を引出してネット（１０）の緊張を解除するとともに連結具（９）とネット（１０）との連結を解除し、その後、移動滑車（７）をレールに沿ってエンドレスウインチ（１）に近接する方向に移動しながらエンドレスウインチ（１）を作動してワイヤー端末巻取機（５）にリミッター（８）により引き出し量が調整されたワイヤー（４）を巻取ることを特徴とするワイヤーの引出及び巻取り方法。
【請求項２】
球技場のネット（１０）を緊張すべく該ネット（１０）に連結するためのワイヤー（４）を引出又は巻取るためのエンドレスウインチ（１）と、該エンドレスウインチ（１）により引出又は巻取されたワイヤー（４）を巻回するためのワイヤー端末巻取機（５）とが基台（２）に設けられ、且つ該基台（２）にはワイヤー（４）の引出又は巻取り時基台（２）上のレール（６）に沿って所定の位置まで移動する移動滑車（７）と、ワイヤー（４）の引き出し量が調整するリミッター（８）とが設けられ、ワイヤー（４）の先端にはネット（１０）への連結具（９）が設けられていることを特徴とするワイヤーの引出及び巻取装置。
【発明の詳細な説明】
【０００１】
【産業上の利用分野】
本発明は、例えば、他目的に使用する屋根つき球場の防護用ネット等の球場内のネットを緊張する際に使用するワイヤーの引出及び巻取り方法とその装置に関するものである。
【０００２】
【従来の技術】
屋根つき球場の防護用ネットを緊張する際に使用するワイヤーの巻取装置としては、球場の壁に突出して取り付けられたワイヤーの巻取機が使用されている。
この巻取機は、直接ワイヤーを引出して該ワイヤーに防護用ネットの一端を取り付けた後、ワイヤーを巻取機で巻き取って防護用ネットを緊張し、防護用ネットを取り外す際は、再度ワイヤーを引出して防護用ネットの緊張を解除した後取り外すことで使用されてなる。
【０００３】
【発明か解決しようとする課題】
しかし従来のようなワイヤーの巻取装置は、該巻取装置が直接屋根つき球場の壁に突出した状態で取り付けられているために、ワイヤーを引出する際，ワイヤーを巻取る際に、ワイヤーが壁に接触して傷をつけたり又は衝突して壁に孔をあけたりする場合があり、そのつど，又は定期的に壁の補修が必要である。
従って、球場全体の維持にコストがかかることになる。
【０００４】
また、巻取装置が壁より突出して取り付けられているために球場全体の美観が損なわれることとなる。
【０００５】
そこで、本発明は、ワイヤーを引出及び巻取りする際に壁を傷つけることなくワイヤーを引出及び巻取り対ることができ、さらに美観に優れたワイヤー等の引出及び巻取り方法及びワイヤー等の引出及び巻取りに使用する装置を提供することにある。
【０００６】
【課題を解決するための手段】
即ち、本発明は上記課題を解決するための方法は、リミッター（８）によりワイヤー（４）の引き出し量が調整された状態で移動滑車（７）をレールに沿ってエンドレスウインチ（１）より離反する方向に移動しながら基台（２）に設けられたエンドレスウインチ（１）を作動して基台（２）に設けられたワイヤー端末巻取機（５）よりワイヤー（４）を引出して先端に設けられた連結具（９）をネット（１０）に連結し、エンドレスウインチ（１）を作動してワイヤー端末巻取機（５）に一定量ワイヤー（４）を巻取ることでネット（１０）を緊張した後、再度エンドレスウインチ（１）を作動してワイヤー端末巻取機（５）よりワイヤー（４）を引出してネット（１０）の緊張を解除するとともに連結具（９）とネット（１０）との連結を解除し、その後、移動滑車（７）をレールに沿ってエンドレスウインチ（１）に近接する方向に移動しながらエンドレスウインチ（１）を作動してワイヤー端末巻取機（５）にリミッター（８）により引き出し量が調整されたワイヤー（４）を巻取ることを特徴とする。
【０００７】
また、装置としては、球技場のネット（１０）を緊張すべく該ネット（１０）に連結するためのワイヤー（４）を引出又は巻取るためのエンドレスウインチ（１）と、該エンドレスウインチ（１）により引出又は巻取されたワイヤー（４）を巻回するためのワイヤー端末巻取機（５）とが基台（２）に設けられ、且つ該基台（２）にはワイヤー（４）の引出又は巻取り時基台（２）上のレール（６）に沿って所定の位置まで移動する移動滑車（７）と、ワイヤー（４）の引き出し量が調整するリミッター（８）とが設けられ、ワイヤー（４）の先端にはネット（１０）への連結具（９）が設けられていることを特徴とする。
【０００８】
【作用】
上記構成からなるワイヤー４の引出及び巻取り方法は、先ず球技場等内で防護用等に使用するネット１０を緊張した状態に取り付ける際は、リミッター（８）によりワイヤー（４）の引き出し量が調整された状態で移動滑車７をレール（６）に沿ってエンドレスウインチ１より離反する方向に移動しながらエンドレスウインチ１を作動してワイヤー端末巻取機５に巻回されたワイヤー４を引き出して、引き出した先端側に設けられた連結具９をネット１０に連結した後、再度ワイヤー４をエンドレスウインチ１を作動してワイヤー端末巻取機５に巻き取ることでネット１０を緊張した状態で取り付ける。
次にネット１０を取り外す際は、再度エンドレスウインチ１を作動してワイヤー端末巻取機５に巻回されたワイヤー４を引き出してネット１０の緊張を解除するとともにネット１０と連結具９との連結を解除することでワイヤー４をネット１０より取り外すことができる。
さらに、ワイヤー４を収納する際は、再度エンドレスウインチ１を作動してワイヤー端末巻取機５にワイヤー４を巻き取るともに移動滑車７をレール（６）に沿ってエンドレスウインチ１に近接する方向に移動することでリミッター（８）により引き出し量が調整されたワイヤー４を収納することができる。
また、ワイヤー４を引き出し量及びワイヤー４の巻き取り量を調整してワイヤー４を引き出したり及び巻き取りしたりすることも可能である。
また、移動滑車７をエンドレスウインチ１より離反する際、球技場等の壁面より突出する位置まで移動することでワイヤー４の先端側を壁面より突出してワイヤー４を巻き取り又は引出しすることができる。
【０００９】
又、請求項２に記載されているワイヤーの引出及び巻取り装置は、レール６に沿って移動滑車７をエンドレスウインチ１より離反する方向に所定の位置まで移動しながらワイヤー端末巻取機５に巻回されたワイヤー４をエンドレスウインチ１の作動によりリミッター（８）によりワイヤー（４）の引き出し量が調整された状態で引き出して該ワイヤー４の一端側の連結具９を前記ネット１０の上部側一端に連結した後、エンドレスウインチ１によりにワイヤー４を一定量巻き取ることでネット１０を緊張した状態に維持する。
その後、前記ワイヤー４を再度エンドレスウインチ１を作動してワイヤー端末巻取機５よりワイヤー４を引き出してネット１０の緊張を解除するとともにワイヤー４の一端側の連結具９を前記ネット１０の上部側一端より離反する。
その後、さらにエンドレスウインチ１を作動してワイヤー端末巻取機５によりワイヤー４を巻回するとともに移動滑車７をレール６に沿ってエンドレスウインチ▲１▼に近接する方向に移動してワイヤー４を巻き取る。
【００１０】
【実施例】
以下、本発明の実施例を、図面について説明する。図１は本発明のワイヤー等の引出及び巻取り装置の一実施例を示す概略側面図、図２はエンドレスウインチ及びワイヤー端末巻取機を示す側面図、図３は屋根付き球場への取り付け状態を示す説明図、図４は移動用滑車の移動を示す説明図、図５は移動用滑車の他実施例を示す説明図である。この図において符号１は、基台２に固定された巻取機としてのエンドレスウインチで、該エンドレスウインチ１の後方側にはリール３にワイヤー４が巻回されてなるワイヤー端末巻取機５が連結され、ワイヤー４はエンドレスウインチ１の作動によりワイヤー端末巻取機５より引出されたり、ワイヤー端末巻取機５に巻回されたりすることとなる。
【００１１】
基台２に連結されたレール６には、レール６に沿って移動自在な２台の移動滑車７が設けられ、該先端の移動滑車７にはリミッター８が設けられ、該リミッター８によりワイヤー４の引出し量が調整された状態でレール６に沿ってエンドレスウインチ１より離反する方向に移動しながらエンドレスウインチ１の作動でワイヤー端末巻取機５よりワイヤー４を引出して、該ワイヤー４の先端の連結具９をネット１０の上部に連結する。
その後、再度エンドレスウインチ１を作動して引き出されたワイヤー４をワイヤー端末巻取機５に一定量巻き取ることでワイヤー４を緊張させてネット１０を緊張する。
【００１２】
又、緊張したネット１０を取り外す際は、再度エンドレスウインチ１を作動してワイヤー４をワイヤー端末巻取機５より引き出してネット１０の緊張を解除するとともに該ワイヤー４の先端の連結具９をネット１０より取り外すことでネット１０をワイヤー４より取り外す。
この際も、リミッター８によりワイヤー４の引出しを自在に調整することができる。
【００１３】
その後、ワイヤー４を収納する際は、エンドレスウインチ１を作動して前記と逆方向に回転してワイヤー４をワイヤー端末巻取機５に巻き取るとともに移動用滑車７…をエンドレスウインチ１に近接する方向にレール６に沿って移動してワイヤー４を収納する。
【００１４】
又、巻取装置１１は屋根つき球場１２の壁内に収納され、先端側のみ壁部分に位置している（図４参照）。これにより、使用しないときはワイヤー４の先端部が壁内に収納されるために屋根つき球場１２の美観を損なうことなく取り付けすることができることとなる。
【００１５】
尚、本発明は上記実施例に限定されるものでなく、他実施例として図５に示すように、移動用滑車７…をエンドレスウインチ１と逆方向であるレール６の下方側に設けるべく構成することも可能である。又、レール６自体を伸縮自在に構成することも可能である。移動用滑車７…を介してワイヤー４が使用時に壁面より突出し、不使用時に壁面内に収納されるならその構成は問うものでない。
【００１６】
又、第１実施例では、上記実施例ではリミッター８を用いることによりワイヤー４の巻回及び引出し量を調整したが、リミッター８を用いることは本発明の必須の構成ではなく、ワイヤー４の巻回及び引出し量を調整することができるストッパーならその構成は問うものでない。
【００１７】
更に、他の実施例としては、移動用滑車７をレール６の先端側でレール６に沿って回動すべく構成することで、連結具９の先端側が壁より突出した際、該連結具９の自重で移動用滑車７をレール６に沿って移動しながらワイヤー４を引き出すべく構成することも可能である。
【００１８】
【発明の効果】
従って、本発明によるワイヤーの引き出し及び巻き取り方法は、移動滑車をエンドレスウインチ及びワイヤー端末巻取機より離反する方向に移動しながらワイヤーを引き出してネットに連結し、移動滑車をエンドレスウインチ及びワイヤー端末巻取機に近接する方向に移動しながらワイヤーを巻き取り収納することで、スムーズなワイヤーの引き出し及び巻き取りを行うことができる。
【００１９】
また、移動滑車をエンドレスウインチ及びワイヤー端末巻取機より離反することで、球技場等の壁面より突出する位置まで移動滑車を移動して、ワイヤーを引き出すことができ、また、移動滑車をエンドレスウインチ及びワイヤー端末巻取機に近接することで、ワイヤーの先端部が壁内に収納され、壁面を傷つけることなく、しかも球技場全体の美観を損なうことなく設置することができる。
【００２０】
さらに、ワイヤー等の引出及び巻取装置を、ワイヤーと、ワイヤーを引出又は巻取るための巻取機と、巻取機に設けられ、且つ出退自在に移動する移動滑車とから構成することで、簡易な構成で容易にワイヤー等の引出及び巻取装置を構成することができ、少ない部品点数でコストの低下を図ることができるという利点がある。
【図面の簡単な説明】
【図１】は本発明のワイヤー等の引出及び巻取り装置の一実施例を示す概略側面図である。
【図２】はエンドレスウインチ及びワイヤー端末巻取機を示す側面図である。
【図３】は屋根付き球場への取り付け状態を示す説明図である。
【図４】は移動用滑車の移動を示す説明図である。
【図５】は移動用滑車の他実施例を示す説明図である。
【符号の説明】
１…エンドレスウインチ
４…ワイヤー
７…移動用滑車
６…ルール
８…リミッター
１０…ネット
【図１】
0003817647.tif 000002
【図２】
0003817647.tif 000003
【図３】
0003817647.tif 000004
【図４】
0003817647.tif 000005
【図５】
0003817647.tif 000006